(57)【特許請求の範囲】
【請求項１】
小物が収納可能な筒状の収納部材と、同収納部材を後方で支持する線材等の支持部材との一体化構造で構成された小物収納具であって、
前記収納部材は、底面部に切り込みによって平坦面が形成され、且前記底面部に水抜き用の通孔が形成されている筒状体の上面部に小物収納用の開口部が設けられていると共に、背面部に吸着盤の取付け孔が設けられて成り、当該収納部材と支持部材との密接状態で吸着盤の頭部が前記吸着盤取付け孔に挿し込まれることにより収納部材と支持部材とが一体化されていることを特徴とする小物収納具。
【請求項２】
小物が収納可能な筒状の収納部材と、同収納部材を下方で支持する線材の支持部材との一体化構造で構成された小物収納具であって、
前記収納部材は、底面部に水抜き用の通孔が細長く形成されている筒状体の上面部に小物収納用の開口部が設けられていると共に、下端部に線材を挿通可能な線材用通孔が設けられて成り、当該収納部材の線材用通孔に支持部材の線材が挿通されることにより収納部材と支持部材とが一体化されていることを特徴とする小物収納具。
【請求項３】
収納部材は、長方形状の板状体を折曲して両端部を接続することにより筒状体に形成されていることを特徴とする請求項１又は２に記載した小物収納具。
【発明の詳細な説明】
【０００１】
【発明の属する技術分野】
本発明は、コップや歯ブラシ、歯磨きチューブや造花、ペン、はさみ、定規等の文房具等の小物を収納する壁面又は卓上用の小物収納具の技術分野に属するものである。
【０００２】
【従来の技術】
従来の合成樹脂製等の小物収納具は、予め所定の形状や大きさに形成されているものが殆んどである。
【０００３】
丸棒等の線材だけで小物収納具を製作する場合も、折り曲げ加工をした結果、やはり予め形状や大きさが規定されてしまう。
【０００４】
【発明が解決しようとする課題】
前記従来の小物収納具は、合成樹脂製にせよ線材にせよ予め形状や大きさ、個数が規定されており、小物の用途や種類、大きさに等に応じた変更使用は不可能な構造である。小物を収納するという機能が重視されるため装飾的にも制約され自由度がない。
【０００５】
したがって、本発明の目的は、小物の用途や種類、大きさ等に応じて適宜簡単に収納部材を変更して組み立てて使用できる自在性に優れて便利な上、装飾効果にも優れた小物収納具を提供することにある。
【０００６】
【課題を解決するための手段】
前記課題を解決するための手段として、請求項１記載の発明は、小物１が収納可能な筒状の収納部材２と、同収納部材２を後方で支持する線材７ａ等の支持部材７との一体化構造で構成された小物収納具である。前記収納部材２は、筒状体の上面部２１に小物収納用の開口部３が設けられていると共に、背面部２２に吸着盤４の取付け孔５が設けられて成り、当該収納部材２と支持部材７との密接状態で吸着盤４の頭部４ａが前記吸着盤取付け孔５に挿し込まれることにより収納部材２と支持部材７とが一体化されている。
【０００７】
請求項２記載の発明は、小物１が収納可能な筒状の収納部材２と、同収納部材２を下方で支持する線材７ａの支持部材２との一体化構造で構成された小物収納具である。前記収納部材２は、前記収納部材２の底面部２３に水抜き用の通孔１０が細長く形成され、筒状体の上面部２１に小物収納用の開口部３が設けられていると共に、下部に線材７ａを挿通可能な線材用通孔６が設けられて成り、当該収納部材２の線材用通孔６に支持部材７の線材７ａが挿通されることにより収納部材２と支持部材７とが一体化されている。
【０００８】
請求項３記載の発明は、前記収納部材２が、長方形状の板状体２ａを折曲して両端部を接続することにより筒状体に形成されている。
【０００９】
【発明の実施の形態】
本発明の小物収納具は、請求項１の発明のような吸着盤を使用する壁面タイプ（図１〜図８）と、請求項２の発明のような吸着盤を使用しない載置タイプ（図９〜図１３）の２種類に大別される。いずれのタイプも、支持部材７としてステンレス製等の丸棒（線材７ａ）が好適に使用され、この支持部材７と収納部材２との一体化構造で構成されている点は共通している。
【００１０】
請求項１記載の発明に関する実施の形態を説明する。
【００１１】
本実施形態は、上記の通り吸着盤を使用して壁面に着脱自在に取り付けて使用する場合に好適である。
【００１２】
当該小物収納具は、図１、図２に示したように、小物１が収納可能な筒状で且つ中空状の収納部材２と、同収納部材２を後方（背後）で支持する線材７ａの支持部材７との一体化構造で構成されている。
【００１３】
前記収納部材２は、全体形状が筒状にして、且つ中空状の筒状体に形成されている（図３）。筒状体に形成するには、図４に示したように、挿入部２０及び背面部２１を形成可能な長方形状の板状体２ａを折曲し、上下の両端部を接続して形成する実施形態が好適である（請求項３）。よって、左右の両側面は開口状となる。前記板状体２ａには、小物収納用の開口部３が設けられていると共に、吸着盤４の取付け孔５が設けられている。また、板状体２ａの角隅部には、接続用の凹凸部１２が形成されている。
【００１４】
よって、前記長方形状の板状体２ａを折曲し、上下で対応する角隅部の凹凸部１２、１２を相互に接続することによって筒状体に形成され、その上面部２１には前記小物収納用開口部３が、背面部２２には吸着盤取付け孔５が形成されることになる。
【００１５】
一方、支持部材７は、上記の通り、ステンレス製等の丸棒の線材７ａにより、図１に示した如く、横方向に平行な上・中・下段の３段に形成されている。中段の線材７ａは、さらに平行な２本の線材７ａにより吸着盤４の頭部４ａを挟持して取り付け可能に形成されている。
【００１６】
前記収納部材２を線材７ａの支持部材７に支持（一体化）するには、前記板状体２ａを筒状体に形成する段階で、線材７ａに掛け渡して組み立てて、双方を密接させた状態で、支持部材７（中段の線材７ａ）の後方から吸着盤４の頭部４ａを吸着盤取付け孔５に挿し込むことにより収納部材２と支持部材７との一体化が完了する（図１）。
【００１７】
したがって、収納部材２の小物収納用開口部３内に、上方から小物１をスムーズに入れることができる（図２）。開口部３の大きさ、形状や数を変えることにより、小物１の大きさ、種類、個数等に適宜応じて、確実に収納することができる。
【００１８】
請求項２記載の発明に関する実施の形態を説明する。
【００１９】
本実施形態は、上記の吸着盤を使用しないで床面に載置して使用する場合に好適である。
【００２０】
当該小物収納具は、図９に示したように、小物１が収納可能な筒状で中空状の収納部材２と、同収納部材２を下方で支持する線材７ａの支持部材７との一体化構造で構成されている。
【００２１】
本収納部材２も、個々のものは全体形状が筒状にして、且つ中空状の筒状体に形成されているが、通常は一枚の板状体２ａに、複数の小物収納用開口部３…を設けて形成される。すなわち、図１０に示したように、長めの長方形状の板状体２ａに予め複数の小物収納用開口部３…が穿設されている。また、板状体２ａの組み立て時に下端部に位置するような配置として、当該板状体２ａの長手方向の両端部に、線材７ａを挿通可能な線材用通孔６が左右対称に複数設けられている。
【００２２】
さらに前記収納部材２は、前記収納部材２の底面部２３に水抜き用の通孔１０が細長く形成されている。
【００２３】
本実施形態における支持部材７は、図９に示したように全体形状がコ字状の線材７ａで形成され、その左右両端部は下面から所定高さを有するように若干下方に折曲されている。
【００２４】
かくして、本発明の収納部材２と線材７ａの支持部材７を一体化するには、前記板状体２ａの一端部における角隅部の２つの線材用通孔６、６に、支持部材７を構成する線材７ａ、７ａの端部をそれぞれ挿通し、つづく通孔６、６に順次挿通していく。そうすると、隣り合う線材７ａ、７ａの間で筒状体の支持部材７が形成されると共に、上面部２１には前記小物収納用開口部３が位置される。
【００２５】
そして、前記板状体２ａの他端部の角隅部の２つの線材用通孔６、６に線材７ａ、７ａをそれぞれ最後に挿通した後、止め具１１を線材７ａの端部に装着すれば、収納部材２は、分解されることなく上向きの開口部３を形成しつつ支持部材７に一体化される（図９）。
【００２６】
したがって、本実施形態の場合も、前記請求項１の発明と同様に、収納部材２の小物収納用開口部３内に、上方から小物１をスムーズに入れることができる。また、開口部３の大きさ、形状や数を変えることにより、小物１の大きさ、種類、個数等に適宜応じて、確実に収納することができる。
【００２７】
請求項３記載の発明に関する実施の形態を説明する。
【００２８】
本実施形態は、前記のように、収納部材２が長方形状の板状体２ａを折曲して両端部を接続することにより筒状体に形成されている。
【００２９】
壁面タイプの収納部材２の場合、板状体２ａとしては、図４に示したように、筒状体に組み立てた際に、挿入部２０と背面部２２が形成されるようにし、両者は、同図中２点鎖線で示した個所で折曲される。挿入部２０は、更に上面部２１と底面部２３が形成されるようにする。なお、同図中の符号２４はリブを示している。
【００３０】
また、載置タイプの収納部材２の場合、板状体２ａとしては、図１０、図１２、図１３に示した如く形成すればよい。壁面タイプの板状体２ａと比べると、背面部２２が不要となっている。さらに、図１３に示した板状体２ａにあっては、底面部２３をも不要な構成となっている。
【００３１】
さらに本実施形態は、複数個の収納部材２…が、支持部材７に支持されている。
【００３２】
例えば、前記請求項１の吸着盤使用の壁面タイプでは、３種類の収納部材２が使用される（図１、図２）。すなわち、図２において左側に位置する収納部材２は、図３及び図４に図示したように、円形の開口部３が１個所穿設されており、チューブその他の文房具等の小物１を収納するのに適している。また、図２において中央に位置する収納部材２は、図５及び図６に図示したように、大きな楕円形の開口部３が１個所穿設されており、コップその他の文房具等の小物１を収納するのに適している。図２において左側に位置する収納部材２は、図７及び図８に図示したように、小さな楕円形の開口部３が３個所穿設されており、歯ブラシや花、文房具等の小物１を収納するのに適している。
【００３３】
次に、前記請求項２の吸着盤不使用の載置タイプでは、図９に示した収納部材２、２が好適である。これは、図１０に図示したように、一枚の板状体２ａ上に、大きさ、位置を異にする複数の開口部３…を穿設して構成されている。
【００３４】
また、図１１に示した実施形態では、大きさ、形状の異なる二枚の収納部材２、２の組み合せで使用される。すなわち、図１１の左側及び右側に位置する収納部材２、２については、図１２に図示したような大・小２つの開口部３、３を有する一枚の板状体２ａが使用される。と共に、図１１の中央に位置する収納部材２については、図１３に示したような異なるタイプの板状体２ａが使用される。この板状体２ａは、中央に小さな楕円形の開口部３が３個所穿設されている。
【００３５】
上記の如く、大きさ、形状、位置を異にする開口部３を有する収納部材２が支持部材７に支持されているから、収納する小物１の種類に対応できると共に、前記種々の収納部材２を自由に組み合せることができ、変更使用も簡単に行える。
【００３６】
本実施形態は、前記のように、収納部材２が一枚の板状体２ａに複数の小物収納用開口部３…を設けて形成されている。例えば、前記図１０や図１２に示したように、一枚の板状体２ａに複数の開口部３…を穿設して実施することが可能である。
【００３７】
本実施形態は、前記収納部材２が、折り曲げ加工に耐え、耐水性のあるポリプロピレン等の合成樹脂で成形されている。したがって、所望の形状や大きさに加工し易いし、洗面台やバス、その他室内等のテーブルや壁板での使用に好適である。
【００３８】
また、合成樹脂で成形されているので、好みに応じて当該収納部材２の色を変えることにより、カラフル化が可能である。
【００３９】
本実施形態は、図１〜図８に示したように、前記収納部材２の底面部２３に、切り込み８によって平坦面９が形成されている。したがって、コップ等の小物１を安定して載置でき抜け落ちる虞れもない。
【００４０】
本実施形態は、前記収納部材２の底面部２３に、水抜き用の通孔１０が細長く形成されている（図５〜図１２参照）。したがって、小物１の水分をかかる通孔１０を通じて下方に排水することができる。
【００４１】
【発明の効果】
請求項１記載の発明は、小物が収納可能な筒状の収納部材と、同収納部材を後方で支持する線材等の支持部材との一体化構造で構成された小物収納具であって、前記収納部材は、底面部に切り込みによって平坦面が形成され、且前記底面部に水抜き用の通孔が形成されている筒状体の上面部に小物収納用の開口部が設けられていると共に、背面部に吸着盤の取付け孔が設けられて成り、当該収納部材と支持部材との密接状態で吸着盤の頭部が前記吸着盤取付け孔に挿し込まれることにより収納部材と支持部材とが一体化されているので、吸着盤により壁面へ安全に固定して使用できることはもちろん、収納する小物の用途や種類、大きさ等に応じて適宜簡単に収納部材を変更し組み立てて使用できる自在性に優れて至便である。また、装飾効果にも優れているから販売促進にも寄与する。さらに抜け落ちる心配がないし、小物の水分を排水できる。
【００４２】
請求項２記載の発明は、小物が収納可能な筒状の収納部材と、同収納部材を下方で支持する線材の支持部材との一体化構造で構成された小物収納具であって、前記収納部材は、前記収納部材の底面部に水抜き用の通孔が細長く形成されている筒状体の上面部に小物収納用の開口部が設けられていると共に、下端部に線材を挿通可能な線材用通孔が設けられて成り、当該収納部材の線材用通孔に支持部材の線材が挿通されることにより収納部材と支持部材とが一体化されているので、台上に確実に載置して安全に使用できることはもちろん、前記同様に、収納する小物の用途や種類、大きさ等に応じて適宜簡単に収納部材を変更し組み立てて使用できる自在性に優れて至便であり、装飾効果にも優れているから販売促進にも寄与する。さらに小物の抜け落ちる心配がないし、小物の水分を排水できる。
【００４３】
請求項３記載の発明の小物収納具は、収納部材が長方形状の板状体を折曲して両端部を接続することにより筒状体に形成されているので、組み立て・使用・解体等の取り扱いが簡単で便利である。
【図面の簡単な説明】
【図１】小物収納具の全体構造を示した斜視図である。
【図２】小物収納具の使用状態を示した斜視図である。
【図３】収納部材を示した斜視図である。
【図４】図３の収納部材の展開図である。
【図５】異なる収納部材を示した斜視図である。
【図６】図４の収納部材の展開図である。
【図７】異なる収納部材を示した斜視図である。
【図８】図７の収納部材の展開図である。
【図９】異なる小物収納具の全体図である。
【図１０】図９の収納部材の展開図である。
【図１１】異なる小物収納具の全体図である。
【図１２】図１１の収納部材の展開図である。
【図１３】図１１の異なる収納部材の展開図である。
【符号の説明】
１     小物
２     収納部材
２ａ   板状体
３     開口部
４     吸着盤
４ａ   頭部
５     吸着盤取付け孔
６     線材用通孔
７     支持部材
７ａ   線材
８     切り込み
９     平坦面
１０   水抜き用通孔
２１   上面部
２２   背面部
２３   底面部
【図１】
0003541310.tif 000002
【図２】
0003541310.tif 000003
【図３】
0003541310.tif 000004
【図４】
0003541310.tif 000005
【図５】
0003541310.tif 000006
【図６】
0003541310.tif 000007
【図７】
0003541310.tif 000008
【図８】
0003541310.tif 000009
【図９】
0003541310.tif 000010
【図１０】
0003541310.tif 000011
【図１１】
0003541310.tif 000012
【図１２】
0003541310.tif 000013
【図１３】
0003541310.tif 000014